(57)【要約】【課題】洗剤を使用しなくても洗濯物の汚れが落ち、洗濯槽のカビが取れ発生しない洗濯剤の提供。【解決手段】アパタイトを水に溶け込ませることにより、除菌菌効果もたせ、トルマリン鉱石の帯電効果を強くするため２００メッシュ以上に粉砕し、熱を加えて歪みを作り、水の洗浄力を強くする事を得る。【選択図】  図２
2004315769.tif 000002
【特許請求の範囲】
【請求項１】
アパタイト粉末１〜５０重量％とトルマリン鉱石の粉末１５〜９１重量％とバインダーとしてのガラス粉末８〜３５重量％若しくは水ガラス８〜３５重量％若しくは酸化チタンを配合して球状若しくはペレット状の成形体に焼成いたことを特徴とする成形洗濯剤。
【請求項２】
アパタイト粉末１〜３０重量％とトルマリン鉱石の粉末１５〜９１重量％とバインダーとしてのガラス粉末８〜３５重量％若しくは水ガラス８〜３５重量％若しくは酸化チタンを配合して母材にコーティングした成形体を焼成したことを特徴とする成形洗濯剤。
【請求項３】
焼成温度を４５０℃〜８５０℃で焼成したことを特徴とする請求項１又は２のいずれかの成形洗濯剤。
【請求項４】
請求項１〜３の成形体、または、請求項１〜３のいずれかの成形体と遠赤外線セラミックス、炭、麦飯石、ゼオライト、炭酸化チタン、トルマリン成形体、アパタイト成形体のいずれかの単体又はこれらのうちから選択した複数を加えたことを特徴とする成形洗濯剤。
【請求項５】
トルマリン成形体とアパタイト成形体に遠赤外線セラミックス、炭、麦飯石、ゼオライト、炭酸化チタン、のいずれかの単体又はこれらのうちから選択した複数を加えたことを特徴とする成形洗濯剤。
【請求項６】
請求項１〜５のいずれかの成形洗濯剤が、透水穴を有する容器内に収納されている洗濯剤入り容器。
【請求項７】
請求項１〜５のいずれかの成形洗濯剤又は遠赤外線セラミックス、炭、麦飯石、ゼオライト、炭酸化チタン、トルマリン成形体、アパタイト成形体のいずれかの単体又はこれらのうちから選択した複数を透水穴を有する容器内に収納されている洗濯剤入り容器に板状若しくは棒状の突起物がついている構造からなる洗濯剤入り容器。
【発明の詳細な説明】
【０００１】
【発明の属する技術分野】
本発明は、洗濯剤の利用方法に関する。
【０００２】
【従来の技術】
従来の成形洗濯剤としては、トルマリンセラミックスや遠赤外線セラミックスを利用したものが知られている。
【０００３】
【発明が解決しようとする課題】
しかしながら従来のトルマリンセラミックスを利用した洗濯剤は、８５０℃以上の高温で焼成してあるため、トルマリンの結晶体が崩れているため帯電効果がほとんどなく、洗濯剤としての効果に問題があった。
【０００４】
また、従来の洗剤や洗濯剤は剥離作用や除菌効果が弱く洗濯槽に黒カビが発生したり、黒カビが取れないため洗濯物がカビで汚れたり、室内干しをしたときに臭いがするなどの問題点があった。
【０００５】
また、洗濯剤の容器の形状が球形で容器が洗濯物の汚れ落としに効果があるような形状に作られていないという問題点があった。
【０００６】
【課題を解決するための手段】
上記の課題を解決するために、本発明の成形洗濯剤（請求項１〜４）は、トルマリン鉱石を２００メッシュ以上に粉砕することにより、トルマリン鉱石の結晶体の数を増やし、８５０℃〜４５０℃の低温で焼成することによりトルマリン鉱石の結晶に歪みをつけて、結晶を崩さないように成形してある、そのため本発明の成形洗濯剤は帯電効果にすぐれ、洗浄力や剥離効果が高くなっている。
【０００７】
また、本発明の成形洗濯剤（請求項１〜７）は、成形体にアパタイトが含まれているため、アパタイトが水の中に溶出することにより除菌効果が高くなり、カビ菌の発生を抑制する効果がある。
【０００８】
また、本発明の成形洗濯剤（請求項１〜４）は、洗濯剤が洗濯機の中で水と接触することにより、水のクラスターが小さくなり、小さくなった水の粒子が繊維の奥に浸透し、繊維の奥に付着している汚れも落ちるという特徴をもっている。
【０００９】
また、請求項７の成形洗濯剤の容器は、板状又は棒状の突起物が洗濯物をもみ洗いするので球状のものと比較して汚れ落ちがとてもいいという特徴をもっている
【００１０】
また本発明の成形洗濯剤（請求項１）は、アパタイト粉末５〜１５重量％とトルマリン鉱石の粉末６５〜８０重量％とバインダーとしてのガラス粉末１５〜２０％若しくは水ガラス１５〜２０重量％若しくは酸化チタン１５〜２０重量％を配合して成形体に焼成したものが洗浄力にすぐれ望ましい。
【００１１】
また本発明の成形洗濯剤（請求項２）は、アパタイト粉末５〜１５重量％とトルマリン鉱石の粉末６５〜８０重量％とバインダーとしてのガラス粉末１５〜２０％若しくは水ガラス１５〜２０重量％若しくは酸化チタン１５〜２０重量％を配合したものを母材にコーティングして成形体に焼成したものが原料コストも低く、洗浄力も高く望ましい。
【００１２】
また、本発明の成形体（請求項１〜３）とアパタイト成形体、遠赤外線セラミックス、麦飯石、ゼオライト、炭酸化チタンのいずれかの単体又はこれらのうちから選択した複数を加えたことを特徴とする洗濯剤は水の中に含まれる不純物を吸着し水をきれいにするとともに水の活性化を促進する効果がある。
【００１３】
【発明の実施の形態】
以下、本発明の実施の形態を図面により説明する。
図１は、請求項１〜５のいずれかの洗濯剤を容器の中に入れた図（請求項６）である、容器の中の洗濯剤に水が接触し水を活性化させ洗浄力がでます。
【００１４】
図２は、請求項１〜５のいずれかの洗濯剤を容器の中に入れた図（請求項７）である、容器の中の洗濯剤に水が接触し水を活性化させ、水に洗浄力をもたせ、更に板状の突起物が洗濯物をもみ洗いする構造となっている。
図３は、請求項１〜５のいずれかの洗濯剤を容器の中に入れた図（請求項７）である、容器の中の洗濯剤に水が接触し水を活性化させ、水に洗浄力をもたせ、更に棒状の突起物が洗濯物をもみ洗いする構造となっている。
【００１５】
また、以下の表は、洗濯剤（請求項２）の除菌試験データーである。
【表２】
2004315769.tif 000003
この表２が示すように洗濯剤の除菌効果が高いことを示す。
【００１６】
また、以下の表は水道水と洗濯剤（請求項１）のクラスター測定値である。
【表３】
2004315769.tif 000004
この表３が示すように、洗濯剤のクラスターは小さくなっており、これにより浸透性を増し繊維の中の汚れも落とす。
【００１７】
また、以下の表は洗濯物の汚れ落ちを調べるため、白い布に着色したものを、洗濯機で洗い、洗濯前と選択後を白度計で測定し、他社洗濯剤との汚れ落ちを比較した結果である。
2004315769.tif 000005
この表３が示すように洗浄力が他社洗濯剤と比較してもすぐれていることが確認できる。
【００１８】
【発明の効果】
以上説明したように、本発明の洗濯剤（請求項１）は、トルマリン成形体に水が接触することによりトルマリン結晶体の帯電現象により水を活性化させ、クラスターを小さくし、水が繊維の中まで入るようにしており、すぐれた洗浄力をもつことになる。
【００１９】
また、水の中に溶出したアパタイトが除菌の働きをする。
【００２０】
また、請求項７の容器には、板状若しくは棒状の突起物があり、洗濯物をもみ洗いする構造となっている。
【００２１】
【図面の簡単な説明】
【図１】洗濯剤入り容器（請求項６）の実施例を示す切矢図である。
【図２】洗濯剤入り容器（請求項７）の実施例を示す切矢図である。
【図３】洗濯剤入り容器（請求項７）の実施例を示す切矢図である。
【符号の説明】
１    洗濯剤入り容器
２    透水穴
３    整形洗濯剤
４    洗濯剤入り容器
５    透水穴
６    整形洗濯剤
７    板状突起物
８    洗濯剤入り容器
９    透水穴
１０  整形洗濯剤
１１  板状突起物
【図１】
2004315769.tif 000006
【図２】
2004315769.tif 000007
【図３】
2004315769.tif 000008